(57)【要約】【課題】従来の電気楽器用エフェクターやアンプのボリュームやトーンなどの回転式の可変抵抗器に取り付けられたノブは演奏中や運搬時に音色を決定した位置がすぐに変わってしまうという問題があった。これにより使用者は、毎回演奏時に全てのエフェクターやアンプの音色の調整をやり直さなければならなかった。【解決手段】エフェクターやアンプの本体とノブの隙間に一枚の発砲ゴムのラバーパットを挟み込むことにより、ノブに足や物が触れても決定したノブの位置が変わってしまうことを防ぐことができる。これにより、使用者の演奏に対する準備の時間を大きく短縮出来、また、毎回同じ音色で演奏することができる。【選択図】図４
2006011344.tif 000002
【特許請求の範囲】
【請求項１】
電気楽器用エフェクターやアンプのボリュームやトーン等のノブと本体の間に挟み込んで、摩擦によりノブが他の物に触れた時に簡単に回転してしまう事を防ぐ発砲ゴムを使用したラバーパット。
【請求項２】
請求項１における電気楽器用エフェクターやアンプのボリュームやトーン等のノブと本体の間に挟み込んで、摩擦によりノブが他の物に触れた時に簡単に回転してしまう事を防ぐ発砲ゴムを使用したラバーパットの形状。
【請求項３】
請求項１における電気楽器用エフェクターやアンプのボリュームやトーン等のノブと本体の間に挟み込んで、摩擦によりノブが他の物に触れた時に簡単に回転してしまう事を防ぐ発砲ゴムを使用したラバーパットの使用方法。
【発明の詳細な説明】
【技術分野】
【０００１】本発明は、電気ギター等の電気楽器に使用するエフェクターとギターアンプに関する。
【背景技術】
【０００２】従来の電気楽器等に使用するエフェクターやアンプのボリュームやトーンなどは、回転式の可変抵抗器に取り付けられたノブを左右に回転させて、その音色を決定する。
図１は一般的なエフェクター上面図、図２は左側面図。【０００３】使用者はエフェクターを使用する際に回転式になっている可変用ノブを調整して演奏時における音色を決定し図３の様に足下に配置してＯＮ、ＯＦＦなどの切り替えを足でおこなう。この際に、可変用ノブの調整は微妙であるために、演奏時に足先などが触れて音色が変化してしまうという問題がよく起こる。【０００４】このような問題を防ぐために音色を決定した後に粘着テープなどをノブの上に貼付けて固定してしまう使用者も多い。【０００５】しかし、上述のように粘着テープなどで固定してしまうと演奏時に音色が気に入らず、音色を変えたい場合など、すぐにノブを回して調整する事は困難になってしまう。【０００６】また、ほとんどの使用者は、エフェクターやアンプを専用のケースなどに入れて持ち運びするが、この時に必ずと言ってよい程ノブの位置が変わってしまうため、使用者は演奏毎に再びセッティングをやり直して音色を決めなければいけない。【０００７】演奏者は演奏時にアンプと多くのエフェクターを使用するので、はじめからセッティングをやり直すことは、大変な労力であり、また毎回全く同じ音色にセッティングにする事は極めて困難である。
【発明の開示】
【発明が解決しようとする課題】
【０００８】以上に述べたこれまでの電気楽器用のアンプやエフェクターの回転式可変ノブは使用者にとって調整が微妙であるため運搬時や演奏時においても気を配らなければならない。【０００９】本発明は、エフェクターやアンプの回転式可変ノブを簡単に固定し、演奏中や持ち運びの際に一度決定したノブのセッティング位置が変わらないようにする事を目的とするものである．
【課題を解決するための手段】
【００１０】以下、課題を解決するための手段をノブの構造や形状がアンプと同じであるエフェクターのノブを例に説明する。【００１１】本発明は上記の問題を解決するために図４の様にエフェクターのノブとエフェクター本体の間に発砲ゴムのラバーパットをはさみ込む事によりノブの位置が簡単には動かないようにする物である。【００１２】しかも、ラバーによる摩擦でノブを固定する事により粘着テープなどで固定してしまうものと違い、ある程度の力で回せば簡単にノブを回し、音色を変える事も可能である。
【発明の効果】
【００１３】上述したように本発明のエフェクターノブ用滑り止めラバーパットは、使用者の演奏時や運搬時におけるノブのセッティング位置を固定する事により、使用者の演奏におけるセッティングの時間を大きく短縮できる効果をもたらす物である。
しかも、演奏中においても足がノブに触れてしまう事を気にせず使用可能にする。【００１４】また、取り付けや取り外しも簡単に行え、低い価格で提供できるため、誰にでも簡単に、また気軽に使用する事ができる。
【発明の実施するための最良の形態】
【００１５】以下、本発明の実施の形態を図５〜図７に基づいてエフェクターを例に説明する。
【００１６】図５は一般的な電気楽器用コンパクトエフェクターを上から見た形状、図６は左側面から見た形状である。図５の符号１のノブはほとんどの場合マイナスねじや六角ねじなどでエフェクター側の可変抵抗器の回転式の支柱に締め付けてある。そうでない場合はエフェクター側の回転式の支柱に強い摩擦でノブが差し込まれていることがほとんどである。
【００１７】図６の符号２の様にノブとエフェクター本体の間には隙間が存在するので、その隙間に滑り止め用のラバーパットを挟み込んで強い摩擦をおこしノブを回りにくい状態にする
【００１８】このラバーパットは直径約２０ｍｍから４０ｍｍの円形状の物で真ん中に支柱を通す直径、約８ｍｍから１２ｍｍほどの円形の穴があいている。図７参照。
【００１９】パットの材質は発砲ゴムのラバーで滑りにくい物である。
【００２０】パットの裏面には粘着材が施されていて簡単にエフェクターやアンプ本体に貼付ける事ができる。
【００２１】図７の様にラバーパットの回りには６個から１０個程の目印が施されているので、使用者はノブを回して音色を決める際、ノブの位置の目安が簡単に分かるようになっている。
【００２２】このラバーパットの厚さは約３ｍｍから５ｍｍで、この程度の厚みの物がノブに対して程よい摩擦を起こし、演奏中に誤って足で触れたり、または運搬時にほかの物と触れたりしてもノブが動いてしまってセッティングした位置が変わったりすることがなくなる。
【００２３】また、使用者が音色を変更するためにノブを回さなければならない時には、使用者はノブをある程度の力で強く回す事によって簡単に位置を変更する事ができるのである。
【００２４】以下、ラバーパットの取り付け方を図８、９．１０に基づいてエフェクターを例に説明する。
【００２５】前述したように、一般的なエフェクターは可変抵抗器の回転式の支柱にプラスティック製のノブをかぶせて使用する形態になっている。図８。
【００２６】ラバーパットを取り付けるために、プラスティック製のノブをいったん外しエフェクター側の支柱をラバーパットの穴に通して、ラバーパットの裏面の粘着材によりエフェター側に貼付けるようにする。図９、１０参照。
【００２７】ラバーパットをエフェクター本体側に貼付けが完了した後に支柱にノブを取り付けるのである。図１１参照。この際にノブをラバーにいかに押し付けて止めるかによって、ノブとラバーパットとの摩擦の量を使用者の好みにより決める事ができる。
滑り止めラバーパット使用時は図１２の様になる。
【００２８】製造会社や種類によってエフェクターやアンプのノブの大きさが、約３、４種類存在するので使用者がノブの大きさに合わせて選択できるよう、数種類の大きさのパットにより、これに対応する。
【００２９】また、図１３の様に、小さなノブが狭い間隔で連なっているエフェクターも存在するので、これに対して図１４の様な形状のラバーパットで対応する事ができる。
４連型の使用時は、図１５の様になる。
【００３０】また、ラバーパットの色も数種類用意し、使用するエフェクターやアンプの色に合わせる事が出来るのでエフェクターやアンプの外観を損なう事がない。
【図面の簡単な説明】
【００３１】
【図１】一般的な電気楽器用エフェクターを上方から見た外観図
【図２】一般的な電気楽器用エフェクターを側面から見た外観図
【図３】一般的な電気楽器用エフェクターの使用風景を表した図
【図４】本発明の実施形態を示すエフェクターの側面図
【図５】従来のエフェクターのノブを説明するための上方から見た図
【図６】従来のエフェクターの本体とノブの間にある隙間を説明するための側面図
【図７】本発明の実施形態を示すラバーパットを上方から見た外観図
【図８】一般的な電気楽器用エフェクターのノブの取り外し方法を示した側面図
【図９】一般的な電気楽器用エフェクターのノブを取り外した状態を表した上面図
【図１０】本発明のラバーパットをエフェクターに施した上面図
【図１１】本発明のラバーパットをエフェクターに施した側面図
【図１２】本発明の実施形態を示す滑り止めラバーパットが使用可能な状態にあるエフェクターの上面図
【図１３】４連式ノブ形態の一般的な電気楽器用エフェクターを上方から見た外観図
【図１４】本発明の実施形態を示す４連式ノブに対応するラバーパットを上方から見た外観図
【図１５】本発明の実施形態を示す滑り止めラバーパットが使用可能な状態にある４連式ノブのエフェクターの上面図
【符号の説明】
【００３２】    符号１．上方から見たエフェクターの可変用ノブ
符号２．側方から見たエフェクター本体と可変用ノブの間に存在する隙間
【図１】
2006011344.tif 000003
【図２】
2006011344.tif 000004
【図３】
2006011344.tif 000005
【図４】
2006011344.tif 000006
【図５】
2006011344.tif 000007
【図６】
2006011344.tif 000008
【図７】
2006011344.tif 000009
【図８】
2006011344.tif 000010
【図９】
2006011344.tif 000011
【図１０】
2006011344.tif 000012
【図１１】
2006011344.tif 000013
【図１２】
2006011344.tif 000014
【図１３】
2006011344.tif 000015
【図１４】
2006011344.tif 000016
【図１５】
2006011344.tif 000017